(57)【要約】      （修正有）【課題】ディジーチェーン接続された音声通信端末に発生するアナログノイズの低減を図る。【解決手段】音声通信装置１は、アナログ音声信号の入出力を制御する制御部と、アナログ音声信号を入力する一対の入力端子３６と、アナログ音声信号を出力する一対の出力端子５６と、接地端子４０Ａと、一対の入力端子３６又は一対の出力端子５６のいずれかと制御部との間に接続され、アナログ音声信号を伝送する絶縁トランス３１と、を備える。【選択図】図３
2013211635.tif 000002
【特許請求の範囲】
【請求項１】
他の音声通信装置と接続ケーブルを介して接続可能な音声通信装置であって、
アナログ音声信号の入出力を制御する制御部と
前記制御部に接続され、前記接続ケーブルを介して、前記他の音声通信装置からアナログ音声信号が入力される一対の入力端子と、
前記制御部に接続され、前記接続ケーブルを介して、前記他の音声通信装置に向けてアナログ音声信号を出力する一対の出力端子と、
電気的に絶縁された２つの巻線である第１巻線及び第２巻線を有し、前記第１巻線と前記第２巻線との間においてアナログ音声信号を伝送する絶縁トランスと、
を備え、
前記第１巻線は前記一対の入力端子又は前記一対の出力端子のうち一方の一対の端子に接続され、
前記第２巻線は前記制御部に接続されることを特徴とする音声通信装置。
【請求項２】
前記他の音声通信装置と前記接続ケーブルを介して接続されたか否かを検出する接続検出部と、
前記接続検出部が接続されていないことを検出した場合、前記一対の入力端子又は一対の出力端子と前記制御部との接続を、電気的に遮断する切替部と、を備えることを特徴とする請求項１に記載の音声通信装置。
【請求項３】
前記一対の入力端子又は一対の出力端子のうち前記一方の一対の端子とは異なる他方の一対の端子の一端は、接地され、
前記一方の一対の端子の一端は、前記接続検出部と接続され、前記他の音声通信装置の前記他方の一対の端子の接地された一端に前記接続ケーブルを介して接続可能であることを特徴とする請求項２に記載の音声通信装置。
【請求項４】
前記接続検出部は、
前記一方の一対の端子の一端の電位を検出し、前記接続ケーブルが接続されたか否かを検出することを特徴とする請求項３に記載の音声通信装置。
【発明の詳細な説明】
【技術分野】
【０００１】
本発明は、装置間における相互の接続であるディジーチェーン接続が可能な音声通信装置に関する。
【背景技術】
【０００２】
マイクから集音した音声を、遠隔地に設置された他の音声通信装置に対してネットワークを介して送信するとともに、ネットワークを介して遠隔地の音声通信装置から音声を受信し、受信した音声をスピーカから出力する音声通信装置が知られている。スピーカフォン等の音声通信装置は、遠隔会議システム等において広く使用されている。
【０００３】
同一拠点内で複数の音声通信装置をディジーチェーン接続し、使用することが可能な音声通信装置が知られている。同一拠点内の広い領域に音声通信装置を相互に接続して配置されることにより、他拠点音声の出力範囲、及び自拠点の会議参加者による発話音声の集音範囲を広げることができる。
【０００４】
特許文献１に、ディジーチェーン接続可能な音声通信端末である携帯端末が開示されている。具体的には、携帯端末は、他の携帯端末と、連携コネクタ及び接続ケーブルを介して接続される。連携コネクタは、他の携帯端末に向けてアナログ音声信号を出力する音声出力端子と、他の携帯端末からアナログ音声信号が入力される音声入力端子と、携帯端末のアースと接続され、他の携帯端末のアースと接続ケーブルを介して接続されるアース端子と、連携コネクタに接続ケーブルが接続されているか否かを検出する接続状態検出スイッチと、を備える。
【先行技術文献】
【特許文献】
【０００５】
【特許文献１】特開平１１−２８５０７８号公報
【発明の概要】
【発明が解決しようとする課題】
【０００６】
携帯端末の音声入力端子と他の携帯端末の音声出力端子とが、接続ケーブルを介して接続されると、携帯端末の音声入力端子と他の携帯端末の音声出力端子との間に、アナログ音声信号に加えて予期しない電流が流れる。電流が流れた結果、携帯端末のスピーカからアナログノイズ音が出力されてしまうという問題点があった。
【０００７】
本発明は、上記の問題点に鑑みてなされたものであり、アナログ音声信号を送受信するために他の音声通信装置と接続することにより発生するアナログノイズを低減することができる音声通信装置を提供することを目的とする。
【課題を解決するための手段】
【０００８】
請求項１に記載の音声通信装置は、他の音声通信装置と接続ケーブルを介して接続可能な音声通信装置であって、アナログ音声信号の入出力を制御する制御部と前記制御部に接続され、前記接続ケーブルを介して、前記他の音声通信装置からアナログ音声信号が入力される一対の入力端子と、前記制御部に接続され、前記接続ケーブルを介して、前記他の音声通信装置に向けてアナログ音声信号を出力する一対の出力端子と、電気的に絶縁された２つの巻線である第１巻線及び第２巻線を有し、前記第１巻線と前記第２巻線との間においてアナログ音声信号を伝送する絶縁トランスと、を備え、前記第１巻線は前記一対の入力端子又は前記一対の出力端子のうち一方の一対の端子に接続され、前記第２巻線は前記制御部に接続されることを特徴とする。
【０００９】
請求項２に記載の音声通信装置は、前記他の音声通信装置と前記接続ケーブルを介して接続されたか否かを検出する接続検出部と、前記接続検出部が接続されていないことを検出した場合、前記一対の入力端子又は一対の出力端子と前記制御部との接続を、電気的に遮断する切替部と、を備えることを特徴とする
【００１０】
請求項３に記載の音声通信装置の前記一対の入力端子又は一対の出力端子のうち前記一方の一対の端子とは異なる他方の一対の端子の一端は、接地され、前記一方の一対の端子の一端は、前記接続検出部と接続され、前記他の音声通信装置の前記他方の一対の端子の接地された一端に前記接続ケーブルを介して接続可能であることを特徴とする。
【００１１】
請求項４に記載の音声通信装置の前記接続検出部は、前記一方の一対の端子の一端の電位を検出し、前記接続ケーブルが接続されたか否かを検出することを特徴とする。
【発明の効果】
【００１２】
請求項１に記載の音声通信装置は、制御部と入力端子又は出力端子との間に絶縁トランスを備える。絶縁トランスにより、他の音声通信装置の入出力端子と接続することにより、他の音声通信装置の入出力端子から流れる電流によって発生するアナログノイズを低減することができる。その結果、音声通信装置からアナログノイズ音が入出力される恐れがなくなる。
【００１３】
請求項２に記載の音声通信装置は、接続検出部、及び切替部を備える。接続検出部により、音声通信装置が、他の音声通信装置と接続ケーブルを介して接続されたか否かを知ることができる。音声通信装置が他の音声通信装置と接続ケーブルを介して接続されていないことを検出した場合、切替部により、一対の入力端子又は一対の出力端子と、制御部と、が電気的に遮断される。一対の入力端子又は一対の出力端子と、制御部と、が電気的に遮断されることにより、一対の入力端子又は一対の出力端子が他の音声通信装置と接続されていない場合に一対の入力端子又は一対の出力端子から入出力されるアナログノイズが制御部に伝送されることがなくなる。アナログノイズが制御部に伝送されることがなくなるため、アナログノイズ音が入出力される恐れがなくなる。
【００１４】
請求項３に記載の音声通信装置は、他方の一対の端子の一端が接地され、一方の一対の端子の一端が、接続検出部と接続される。接続ケーブルによって、音声通信装置の一方の一対の端子の一端と、他の音声通信装置の他方の一対の端子の一端とが、電気的に接続される。電気的に接続されることにより、音声通信装置の一方の一対の端子の一端と、他の音声通信装置の他方の一対の端子の一端とが、接地電位となる。一方の一対の端子の一端は接続検出部と接続されているため、接続検出部は、所定電位から接地電位への変化を検出し、他の音声通信装置との電気的な接続を検出することができる。接続検出部が自装置の入力線又は出力線にあり、接続先の出力線又は入力線が接地電位に印加されることで、自装置の入出力端子と接続先との入出力端子とが接続されることで、接続検出部が接地電位となる。即ち、入出力用の配線に接地電位と接続検出部とを接続することで、接続検出用の配線を別途設けることなく、接続ケーブルの接続を検出することができる。
【００１５】
請求項４に記載の音声通信装置の接続検出部は、所定電位に印加された端子に接続され、一方の一対の端子の一端の電位を検出する。一方の一対の端子の一端の電位を検出することで、接続を検出することができる。
【図面の簡単な説明】
【００１６】
【図１】音声通信装置１０を含む会議システムＣＳの概要を示す説明図。
【図２】音声通信装置１０の電気的構成を示すブロック図。
【図３】音声通信装置１と他の音声通信装置１００との接続系周辺の接続構成を示す電気回路図。
【図４】接続検出処理を示すフローチャート。
【発明を実施するための形態】
【００１７】
以下、本発明の一実施形態について、図面を参照して説明する。これらの図面は、本発明が採用しうる技術的特徴を説明するために用いられるものである。記載されている装置の構成、各種処理のフローチャート等は、それのみに限定する趣旨ではなく、単なる説明例である。
【００１８】
図１を参照し、会議システムＣＳの概要について説明する。会議システムＣＳは、音声通信装置１、１００、２００、及びＰＣ３００を備える。音声通信装置１、１００、２００、及びＰＣ３００は、同一拠点（以下、自拠点ともいう）内に設置されている。音声通信装置１、１００、２００、及びＰＣ３００は、接続ケーブル４、５，６によってディジーチェーン接続される。ディジーチェーン接続とは、複数の装置を数珠つなぎに連結する接続方法である。音声通信装置１００は、音声通信装置１及びＰＣ３００と接続ケーブル４、５を介して接続される。音声通信装置１は、音声通信装置１００、２００と接続ケーブル５、６を介して接続される。ＰＣ３００は、音声通信装置１００及びインターネット網４００と接続ケーブル４を介して接続される。従って会議システムＣＳは、インターネット網４００、ＰＣ３００、音声通信装置１００、１、２００の順に接続されている。以下、音声通信装置１、１００、２００を区別しない場合又は総称する場合、これらを音声通信装置１０という。
【００１９】
音声通信装置１０は、ＰＣ３００及びインターネット網４００を介し、自拠点とは異なる他拠点に設置された他のＰＣ（図示外）及び他のＰＣに接続された音声通信装置（図示外）と通信を行うことができる。音声通信装置１０は、マイク２５（後述）によって集音した音声データを、インターネット網４００を介して他拠点に設置された音声通信装置に送信するとともに、インターネット網４００を介して他拠点に設置された音声通信装置から音声データを受信し、音声通信装置１０のスピーカ２４（後述）から受信した音声を出力する。音声通信装置１０を使用する自拠点のユーザは、他拠点に設置された音声通信装置を使用する他拠点の他のユーザとの間で、音声による遠隔会議を行うことができる。
【００２０】
会議システムＣＳは、音声通信装置１、１００、２００を自拠点内の広い領域に点在させることができる。会議システムＣＳは、他拠点に設置された他の音声通信装置から送信された音声データに基づく音声を、音声通信装置１、１００、２００のそれぞれのスピーカ２４（後述）から出力させることができる。これによって、スピーカ２４から出力される音声が広範にわたる領域で聞こえるようにすることができる。
【００２１】
図１のシステム構成は本発明の一例であり、他のシステム構成であってもよい。例えばインターネット網４００の代わりに、固定電話網、移動電話網、専用通信網等、周知の様々な外部通信網が使用され、自拠点と他拠点との間で通信が実行されてもよい。音声通信装置１０は、ＰＣ３００の代わりに、音声通信装置１０以外の様々な機器（固定電話機、携帯電話機、ルータ、モデム等）を介して外部通信網と接続してもよい。また音声通信装置１０は、外部通信網と直接接続してもよい。
【００２２】
また会議システムＣＳにおいて、ＰＣ３００にディスプレイおよびカメラが接続されてもよい。ＰＣ３００は、カメラによって撮影された自拠点の映像のデータを、インターネット網４００を介して他拠点の他のＰＣに送信するとともに、インターネット網３００を介して他拠点の他のＰＣから映像データを受信し、ディスプレイに映像を表示してもよい。これによって自拠点のユーザは、他拠点の他のユーザとの間で、映像および音声による遠隔会議を行うことができる。
【００２３】
図２を参照し、音声通信装置１の電気的構成について説明する。音声通信装置１は、音声通信装置１の制御を司るＣＰＵ２０を備える。具体的には、ＣＰＵ２０は、アナログ音声信号の入力を制御する。ＣＰＵ２０は、ＲＯＭ２１、ＲＡＭ２２、フラッシュメモリ２３、スピーカ２４、マイク２５、上流側通信Ｉ／Ｆ２８、下流側通信Ｉ／Ｆ２９、及び入力部２７と電気的に接続される。ＲＯＭ２１は、ブートプログラム、ＢＩＯＳ、ＯＳ等を記憶する。ＲＡＭ２２は、タイマ、カウンタ、及び一時的なデータを記憶する。ユーザは、入力部２７を操作することによって、電源のオンオフを切り替えることができる。
【００２４】
フラッシュメモリ２３は、ＣＰＵ２０の図４に示すプログラム等の制御プログラムを記憶する。スピーカ２４は、上流側通信Ｉ／Ｆ２８、及び下流側通信Ｉ／Ｆ２９から伝送された音声信号を音として出力することができる。マイク２５は、音を集音し、上流側通信Ｉ／Ｆ２８、及び下流側通信Ｉ／Ｆ２９へ伝送することができる。音声通信装置１０は、上流側の他の装置と下流側の他の装置と接続することによってディジーチェーン接続を実現している。このため、上流側の他の装置と下流側の他の装置の其々と通信を行うために、通信Ｉ／Ｆ２８、２９は二つ以上設けられる。なお、本明細書では、図１において、インターネット４００に近い接続関係を、上流側と記載する。図１において、インターネット４００から遠い接続関係を、下流側と記載する。
【００２５】
音声通信装置１０は、周知のエコー除去機能が搭載されている。音声通信装置１０は、音声通信装置１０のスピーカ２４から出力された音をマイク２５が集音することによって発生するエコーやハウリングを、エコー除去を機能させることによって抑止することができる。
【００２６】
上流側通信Ｉ／Ｆ２８は、第１接続系３０と、第２接続系４０と、第３接続系５０と、を備える。上流側通信Ｉ／Ｆ２８は、接続ケーブル５を介して上流側の音声通信装置１００の下流側通信Ｉ／Ｆ１２９と接続される。
【００２７】
第１接続系３０は、上流側の音声通信装置１００の第３接続系１６０と、接続ケーブル５の接続線９１を介して接続される。アナログ音声信号が、接続ケーブル５の接続線９１を介して、上流側の音声通信装置１００の第３接続系１６０から、下流側の音声通信装置１の第１接続系３０へ入力される。
【００２８】
第２接続系４０は、上流側の音声通信装置１００の第２接続系１７０と、接続ケーブル５の接続線９２を介して接続される。
【００２９】
第３接続系５０は、上流側の音声通信装置１００の第１接続系１８０と、接続ケーブル５の接続線９３を介して接続されている。アナログ音声信号が、下流側の音声通信装置１００の第３接続系５０から、接続ケーブル５の接続線９３を介して、上流側の音声通信装置１００の第１接続系１８０に出力される。
【００３０】
音声通信装置１００の上流側通信Ｉ／Ｆ１２８は、接続ケーブル４を介して、ＰＣ３００と接続される。
【００３１】
音声通信装置１の下流側通信Ｉ／Ｆ２９は、第３接続系６０と、第２接続系７０と、第１接続系８０と、を備える。下流側通信Ｉ／Ｆ２９は、接続ケーブル６を介して下流側の音声通信装置２００の上流側通信Ｉ／Ｆ２２８と接続される。
【００３２】
音声通信装置２００の下流側通信Ｉ／Ｆ２２９は、何も接続されていない。
【００３３】
図３は、図２の音声通信装置１と他の音声通信装置１００との接続系周辺の接続構成（領域Ａ）を示す。図３を参照し、接続構成の詳細について説明する。
【００３４】
音声通信装置１００の第３接続系１６０について説明する。音声通信装置１００の第３接続系１６０は、一対の出力端子１６６と、増幅器１６２と、端子１６５と、を備える。
【００３５】
端子１６５は、増幅器１６２の反転入力端子１６２Ａと電気的に接続される。アナログ音声信号は、上流側である音声通信装置１００のマイク等から音響ＩＣ（不図示）を通過し、音声通信装置１００のＣＰＵの処理に従って、端子１６５から出力される。
【００３６】
増幅器１６２は、反転入力端子１６２Ａ、非反転入力端子１６２Ｂ、及び出力端子１６２Ｃを備える。増幅器１６２の反転入力端子１６２Ａは、コンデンサを介して、端子１６５と接続される。増幅器１６２の非反転入力端子１６２Ｂは、所定電圧が印加される。所定電圧は、例えば音声通信装置１００の電源電圧Ｖｃｃの１／２の電圧である。電源電圧Ｖｃｃは、例えば３．３［Ｖ］である。増幅器１６２に接続された２つの抵抗は、それぞれ１ｋ［Ω］、及び２ｋ［Ω］であるため、増幅器１６２の利得は、２倍となる。増幅器１６２の出力端子１６２Ｃは、直流電圧をカットするためのコンデンサを介して、一対の出力端子１６６の他端１６６Ａに電気的に接続される。増幅器１６２の接地端子は、一対の出力端子１６６の一端１６６Ｂに電気的に接続される。
【００３７】
一対の出力端子１６６の他端１６６Ａは、接続線９１の他方の線９１Ａと電気的に接続される。一対の出力端子１６６の一端１６６Ｂは、接続線９１の一方の線９１Ｂと電気的に接続される。
【００３８】
音声通信装置１の第１接続系３０について説明する。音声通信装置１の第１接続系３０は、絶縁トランス３１と、増幅器３２と、接続検出部３３と、ＦＥＴ３４と、端子３５と、一対の入力端子３６と、を備える。
【００３９】
一対の入力端子３６は、音声通信装置１００の一対の出力端子１６６から接続ケーブル５の接続線９１を介して、アナログ音声信号が入力される。詳しくは後述するが、一対の入力端子３６は、絶縁トランス３１、増幅器３２、ＦＥＴ３４、端子３５を介して、ＣＰＵ２０と電気的に接続される。一対の入力端子３６の他端３６Ａは、接続線９１の他方の線９１Ａと電気的に接続される。一対の入力端子３６の一端３６Ｂは、音声通信装置１００の一対の出力端子１６６の一端１６６Ｂと接続される接続線９１の一方の線９１Ｂと電気的に接続される。
【００４０】
絶縁トランス３１は、互いに向かい合う絶縁された２つの巻線である第１巻線３１Ａと、第２巻線３１Ｂと、を有する。アナログ音声信号は、第１巻線３１Ａと第２巻線３１Ｂとの間においてアナログ音声信号を伝送する。第１巻線３１Ａの両端は、一対の入力端子３６の他端３６Ａ及び一端３６Ｂにそれぞれ電気的に接続される。接続検出部３３は、一対の入力端子３６の一端３６Ｂに接続される。第２巻線３１Ｂは、増幅器３２、ＦＥＴ３４、及び端子３５を介してＣＰＵ２０と電気的に接続される。具体的には、第２巻線３１Ｂの両端は、増幅器３２の反転入力端子３２Ａと接地電位とにそれぞれ電気的に接続される。
【００４１】
増幅器３２は、反転入力端子３２Ａ、非反転入力端子３２Ｂ、及び出力端子３２Ｃを備える。増幅器３２の反転入力端子３２Ａは、コンデンサを介して、第２巻線３１Ｂの一端と接続される。所定電圧が、増幅器３２の非反転入力端子３２Ｂに増幅器１６２と同様に印加される。増幅器３２の出力端子３２Ｃは、直流電圧をカットするためのコンデンサ及びＦＥＴ（Ｆｉｅｌｄ  ｅｆｆｅｃｔ  ｔｒａｎｓｉｓｔ）３４を介して、端子３５に電気的に接続される。
【００４２】
接続検出部３３は、音声通信装置１００と接続ケーブル５を介して接続されたか否かを検出する。接続検出部３３は、所謂プルアップ抵抗である。接続検出部３３は、抵抗３３Ａと、端子３３Ｂと、を備える。具体的には、接続検出部３３は、一対の入力端子３６の一端３６Ｂに接続された接続検出部３３の端子３３Ｂの電位を検出することで、音声通信装置１００と接続ケーブル５を介して接続された否かを検出する。一対の入力端子３６の一端３６Ｂは、接続検出部３３の抵抗３３Ａを介して電源電圧Ｖｃｃに接続される。具体的に説明すると、一対の入力端子３６と、一対の出力端子１６６と、が接続線９１を介して接続されていない場合、電流が電源電圧Ｖｃｃから抵抗３３Ａを介して端子３３Ｂに流れ、端子３３Ｂの電位は、電源電圧Ｖｃｃの電位とほぼ同じ電位に保たれる。一対の入力端子３６と、一対の出力端子１６６と、が接続線９１を介して接続された場合、接続検出部３３の端子３３Ｂと、一対の出力端子１６６の一端１６６Ｂと、が接続線９１の一方の線９１Ｂと電気的に接続される。一対の出力端子１６６の一端１６６Ｂは接地されているため、接続検出部３３の端子３３Ｂの電位は、基準電位である接地電位となる。接続検出部３３の端子３３Ｂの電位を読み取ることで、音声通信装置１の一対の入力端子３６と、音声通信装置１００の一対の出力端子１６６と、が接続されているか否かを検出することができる。
【００４３】
ＦＥＴ３４は、接続検出部３３が接続されていないことを検出した場合、ＣＰＵ２０と電気的に接続される端子３５と、一対の入力端子３６と電気的に接続される増幅器３２と、の間の接続を遮断する。接続を遮断することにより、一対の入力端子３６が接続ケーブル５を介して一対の出力端子１６６と接続されていない状態の際に一対の入力端子３６から入力されるアナログノイズが、ＦＥＴ３４の下流側である端子３５に伝わらなくなる。その結果、アナログノイズを低減することができる。
【００４４】
図４を参照し、接続検出処理について説明する。入力部２７の電源ボタンが入力され、図４に示す接続検出処理が開始される。
【００４５】
Ｓ１１では、ＣＰＵ２０は、ディジーチェーン接続されたか否かを検出する。具体的には、接続検出部３３の端子３３Ｂの電位が、接地電位か否かを検出する。接続検出部３３の端子３３Ｂの電位が接地電位である場合（Ｓ１１：ＹＥＳ）、Ｓ１２の処理へ進む。接続検出部３３の端子３３Ｂの電位が電源電圧Ｖｃｃの電位である場合（Ｓ１１：ＮＯ）、Ｓ１３の処理へ進む。
【００４６】
Ｓ１２では、ＣＰＵ２０は、検出された通信Ｉ／ＦのＦＥＴを接続する。具体的には、接地電位を検出した接続検出部３３がある上流側通信Ｉ／Ｆ２８のＦＥＴ３４を接続する。これにより、上流側の装置とアナログ音声信号を送受信することができる。Ｓ１２処理後、Ｓ１１へ処理を進める。
【００４７】
Ｓ１３では、ＣＰＵ２０は、未検出の通信Ｉ／ＦのＦＥＴを遮断する。具体的には、電源電圧Ｖｃｃの電位を検出した接続検出部３３がある上流側通信Ｉ／Ｆ２８のＦＥＴ３４の電気的接続を遮断する。ＦＥＴ３４の電気的接続を遮断することにより、一対の入力端子３６が接続ケーブル５を介して一対の出力端子１６６と接続されていない状態の際に一対の入力端子３６から入力されるアナログノイズが、ＦＥＴ３４の下流側にある端子３５に伝わらなくなる。その結果、アナログノイズを低減することができる。Ｓ１３処理後、Ｓ１１へ処理を進める。
【００４８】
端子３５は、音響ＩＣ（不図示）と電気的に接続される。音響ＩＣは、エコーキャンセル機能、及びＣＯＤＥＣ機能を有する。音響ＩＣは、ＣＰＵ２０と電気的に接続される。
【００４９】
接続ケーブル５が接続されている場合の上流側から下流側へのアナログ音声信号の伝送経路について説明する。アナログ音声信号は、音声通信装置１００の端子１６５から増幅器１６２の反転入力端子１６２Ａに入力されて増幅される。アナログ音声信号は、増幅後に、増幅器１６２の出力端子１６２Ｃから一対の出力端子１６６の他端１６６Ａに伝送される。アナログ音声信号は、増幅器１６２の出力端子１６２Ｃから、一対の出力端子１６６の他端１６６Ａ、接続線９１の他方の線９１Ａ、及び一対の入力端子３６の他端３６Ａを通過し、第１巻線３１Ａに伝送される。さらに、アナログ音声信号は、第１巻線３１Ａから第２巻線３１Ｂに伝送され、増幅器３２の反転入力端子３２Ａに入力されて増幅される。アナログ音声信号は、増幅器３２の出力端子３２Ｃから、接続状態のＦＥＴ３４を通過し、端子３５に供給される。アナログ音声信号は、端子３５から、音響ＩＣに供給後、音響ＩＣにて処理された後、ＣＰＵ２０の処理に従って、スピーカ２４から出力される。
【００５０】
音声通信装置１の第３接続系５０について説明する。音声通信装置１の第３接続系５０は、一対の出力端子５６と、増幅器５２と、端子５５と、を備える。
【００５１】
端子５５は、増幅器５２の反転入力端子５２Ａと電気的に接続される。アナログ音声信号は、音声通信装置１のマイク２５等から、音声通信装置１の音響ＩＣ（不図示）を通過し、音声通信装置１のＣＰＵ２０の処理に従って、端子５５から出力される。
【００５２】
増幅器５２は、増幅器１６２と同様の機能を有する。増幅器５２は、反転入力端子５２Ａと、非反転入力端子５２Ｂと、出力端子５２Ｃと、を備える。増幅器５２の反転入力端子５２Ａは、コンデンサを介して、端子５５と接続される。増幅器５２の非反転入力端子５２Ｂは、所定電圧が印加される。増幅器５２の出力端子５２Ｃは、直流電圧をカットするためのコンデンサを介して、一対の出力端子５６の他端５６Ａに電気的に接続される。増幅器５２の接地端子は、一対の出力端子５６の一端５６Ａに電気的に接続される。
【００５３】
一対の出力端子５６は、音声通信装置１００の一対の入力端子１８６に向けて接続ケーブル５の接続線９３を介して、アナログ音声信号を出力する。詳しくは後述するが、一対の出力端子５６は、増幅器５２、端子５５を介して、ＣＰＵ２０と電気的に接続される。一対の出力端子５６の他端５６Ａは、接続線９３の他方の線９３Ａと電気的に接続される。一対の出力端子５６の一端５６Ｂは、接続線９３の一方の線９３Ｂと電気的に接続される。
【００５４】
音声通信装置１００の第１接続系１８０は、絶縁トランス１８１と、増幅器１８２と、接続検出部１８３と、ＦＥＴ１８４と、端子１８５と、一対の入力端子１８６と、を備える。
【００５５】
一対の入力端子１８６の他端１８６Ａは、接続線９３の他方の線９３Ａと電気的に接続される。一対の入力端子１８６の一端１８６Ｂは、接続線９３の一方の線９３Ｂと電気的に接続される。
【００５６】
絶縁トランス１８１は、互いに向かい合う２つの巻線である第１巻線１８１Ａと、第２巻線１８１Ｂと、を有する。第１巻線１８１Ａの両端は、一対の入力端子１８６の他端１８６Ａ及び一端１８６Ｂにそれぞれ電気的に接続される。一対の入力端子１８６の一端１８６Ｂは、接続検出部１８３が接続される。第２巻線１８１Ｂの両端は、増幅器１８２の反転入力端子１８２Ａと接地電位とにそれぞれ電気的に接続される。
【００５７】
増幅器１８２は、反転入力端子１８２Ａ、非反転入力端子１８２Ｂ、及び出力端子１８２Ｃを備える。増幅器１８２の反転入力端子１８２Ａは、コンデンサを介して、第２巻線１８１Ｂの一端と接続される。所定電圧が、増幅器１８２の非反転入力端子１８２Ｂに増幅器１６２と同様に印加される。増幅器１８２の出力端子１８２Ｃは、直流電圧をカットするためのコンデンサ及びＦＥＴ１８４を介して、端子１８５に電気的に接続される。
【００５８】
一対の入力端子１８６の一端１８６Ａは、接続検出部１８３の抵抗１８３Ａを介して電源電圧Ｖｃｃに接続する。接続検出部１８３は、所謂プルアップ抵抗であり、接続検出部３３と同様の機能を有するため、説明を省略する。
【００５９】
ＦＥＴ１８４は、接続検出部１８３が接続されていないことを検出した場合、端子１８５と、増幅器１８２と、の接続を遮断する。ＦＥＴ１８４は、ＦＥＴ３４と同様の機能を有するため、説明を省略する。
【００６０】
端子１８５は、音声通信装置１００の音響ＩＣ（不図示）と電気的に接続される。音響ＩＣは、音声通信装置１００のＣＰＵと電気的に接続される。
【００６１】
接続ケーブル５が接続されている場合の下流側から上流側へのアナログ音声信号の伝送経路について説明する。アナログ音声信号は、音声通信装置１の端子５５から増幅器５２の反転入力端子５２Ａに入力されて増幅される。アナログ音声信号は、増幅後、増幅器５２の出力端子５２Ｃから一対の出力端子５６の他端５６Ａに伝送される。アナログ音声信号は、増幅器５２の出力端子５２Ｃから、一対の出力端子５６の他端５６Ａ、接続線９３の他方の線９３Ａ、及び一対の入力端子１８６の一端１８６Ａを通過し、第１巻線１８１Ａに伝送される。さらに、アナログ音声信号は、第１巻線１８１Ａから第２巻線１８１Ｂに伝送され、増幅器１８２の反転入力端子１８２Ａに入力されて増幅される。アナログ音声信号は、増幅器１８２の出力端子１８２Ｃから、接続状態のＦＥＴ１８４を通過し、端子１８５に供給される。アナログ音声信号は、端子１８５から、音声通信装置１００の音響ＩＣに供給された後、音響ＩＣにて処理された後、音声通信装置１００のＣＰＵ２０の処理に従って、音声通信装置１００のスピーカ２４から出力される。
【００６２】
音声通信装置１の第２接続系４０の接地端子４０Ａと、音声通信装置１００の第２接続系１７０の接地端子１７０Ａとが、接続線９２を介して電気的に接続される。音声通信装置１の接地端子４０Ａは、接地電位に接続される。音声通信装置１００の接地端子４０Ａは、接地電位に接続される。音声通信装置１の接地端子４０Ａと、音声通信装置１００の接地端子１７０Ａとが、接続線９２を介して電気的に接続されるため、音声通信装置１と、音声通信装置１００とは、共通電位を共有することができる。
【００６３】
［変形例］
本実施形態においては、音声通信装置１の第１接続系３０において、絶縁トランス３１及び接続検出部３３が、増幅器３２の反転入力端子３２Ａと一対の入力端子３６とに接続されている。さらに、音声通信装置１００の第１接続系１８０において、絶縁トランス１８１及び接続検出部１８３が、増幅器１８２の反転入力端子１８２Ａと一対の入力端子１８６とに接続されている。しかしながら、これに限らず、音声通信装置１の第３接続系５０において、絶縁トランス及び接続検出部が、増幅器５２の出力端子５２Ｃと、一対の出力端子５６と、に接続されていてもよい。さらに、音声通信装置１００の第３接続系１６０において、絶縁トランス及び接続検出部が、増幅器１６２の出力端子１６２Ｃと、一対の出力端子１６６と、に接続されていてもよい。この場合においても、本実施形態と同様の効果が得られる。
【００６４】
本実施形態の音声通信装置１００、２００は、本発明の他の音声通信装置の一例である。本実施形態の接続ケーブル４、５、６は、本発明の接続ケーブルの一例である。本実施形態の音声通信装置１は、本発明の音声通信装置の一例である。本実施形態の一対の入力端子３６は、本発明の一対の入力端子、及び一方の一対の端子の一例である。本実施形態の一対の出力端子５６は、本発明の一対の出力端子、及び他方の一対の端子の一例である。本実施形態の絶縁トランス３１は、本発明の絶縁トランスの一例である。本実施形態の第１巻線３１Ａは、本発明の第１巻線の一例である。本実施形態の第２巻線３１Ｂは、本発明の第２巻線の一例である。本実施形態のＣＰＵ２０は、本発明の制御部の一例である。本実施形態の接続検出部３３は、本発明の接続検出部の一例である。本実施形態のＦＥＴ３４は、本発明の切替部の一例である。本実施形態の一対の入力端子３６の一端３６Ｂは、本発明の一方の一対の端子の一端の一例である。本実施形態の一対の出力端子５６の一端５６Ｂは、本発明の他方の一対の端子の一端の一例である。
【符号の説明】
【００６５】
１、１００、２００      音声通信装置
４、５、６              接続ケーブル
２０                    ＣＰＵ
２４                    スピーカ
２５                    マイク
２８、２９              通信Ｉ／Ｆ
３１                    絶縁トランス
３１Ａ                  第１巻線
３１Ｂ                  第２巻線
３２                    増幅器
３３                    接続検出部
３３Ａ                  抵抗
３３Ｂ                  端子
３４                    ＦＥＴ
３６                    一対の入力端子
４０Ａ                  接地端子
５６                    一対の出力端子
【図１】
2013211635.tif 000003
【図２】
2013211635.tif 000004
【図３】
2013211635.tif 000005
【図４】
2013211635.tif 000006